(57)【要約】    【課題】  良好なる反射防止効果を有し、フレアーやゴーストの発生が少なく、高い光学性能が容易に得られるズームレンズを得ること。    【解決手段】  物体側から像側へ順に、ズーミングに際して不動の正の屈折力の第１レンズ群、ズーミングに際して移動する負の屈折力の第２レンズ群、ズーミングに際して移動するレンズ群を１つ以上有する中間レンズ群、ズーミングに際して不動の正の屈折力の後レンズ群を有するズームレンズにおいて、第２レンズ群は像側のレンズ面が凹形状で光線有効径を２Ｄ、曲率半径をＲｓとするとき、０．４０＜｜Ｄ／Ｒｓ｜＜０．９０なる条件式を満たすレンズ面ＧＲ１に平均ピッチが４００ｎｍ以下の複数の微細構造体を有する反射防止膜が施されていること。【選択図】    図３
2016048352.tif 000002
【特許請求の範囲】
【請求項１】
物体側から像側へ順に、ズーミングに際して不動の正の屈折力の第１レンズ群、ズーミングに際して移動する負の屈折力の第２レンズ群、ズーミングに際して移動するレンズ群を１つ以上有する中間レンズ群、ズーミングに際して不動の正の屈折力の後レンズ群を有するズームレンズにおいて、
前記第２レンズ群は像側のレンズ面が凹形状で光線有効径を２Ｄ、曲率半径をＲｓとするとき、
０．４０＜｜Ｄ／Ｒｓ｜＜０．９０
なる条件式を満たすレンズ面ＧＲ１に平均ピッチが４００ｎｍ以下の複数の微細構造体を有する反射防止膜が施されていることを特徴とするズームレンズ。
【請求項２】
前記第２レンズ群の焦点距離をｆ２、広角端における全系の焦点距離をｆｗとするとき、
−５．００＜ｆ２／ｆｗ＜−０．５０
なる条件式を満たすことを特徴とする請求項１に記載のズームレンズ。
【請求項３】
前記中間レンズ群はズーミングに際して移動する負の屈折力の第３レンズ群よりなることを特徴とする請求項１又は２に記載のズームレンズ。
【請求項４】
前記中間レンズ群はズーミングに際して移動する負の屈折力の第３レンズ群とズーミングに際して移動する正の屈折力の第４レンズ群よりなることを特徴とする請求項１又は２に記載のズームレンズ。
【請求項５】
前記中間レンズ群はズーミングに際して移動する正の屈折力の第３レンズ群よりなることを特徴とする請求項１又は２に記載のズームレンズ。
【請求項６】
前記反射防止膜は、最上層（空気に接する層）が微細構造体よりなり、該微細構造体の屈折率は１．３０以下であり、入射角０°における波長４００〜７５０nmの反射率の平均値が０．５％以下であることを特徴とする請求項１乃至５のいずれか１項に記載のズームレンズ。
【請求項７】
前記反射防止膜は、入射角４５°および入射角０°において、波長４００ｎｍにおける反射率をＲＡ、波長７００ｎｍにおける反射率をＲＢとするとき、
ＲＢ／ＲＡ＜３．０
なる条件式を満たすことを特徴とする請求項１乃至６のいずれか１項に記載のズームレンズ。
【請求項８】
前記反射防止膜は、最上層とレンズ面との間に、単層膜又は多層膜より成る中間層を有することを特徴とする請求項１乃至７のいずれか１項に記載のズームレンズ。
【請求項９】
請求項１乃至８のいずれか１項のズームレンズと、該ズームレンズによって形成された像を受光する固体撮像素子を有することを特徴とする撮像装置。
【請求項１０】
前記第１レンズ群の最も周辺部を通過するマージナル光線が、前記第２レンズ群のレンズ面ＧＲ１よりも像側のレンズ面ＧＲ２で反射した後に前記レンズ面ＧＲ１で反射するときの前記レンズ面ＧＲ１の光軸からの高さをｙとするとき、
０．３０＜｜ｙ／Ｄ｜
なる条件式を満足することを特徴とする請求項９の撮像装置。
【発明の詳細な説明】
【技術分野】
【０００１】
本発明はズームレンズに関し、レンズ面の反射防止膜を効果的に行い、フレアーやゴーストの発生を軽減したビデオカメラ、電子スチルカメラ、テレビカメラ、監視カメラ等の撮像装置の撮像光学系として好適なものである。
【背景技術】
【０００２】
物体からの光束が撮像光学系に入射し、撮像光学系を構成するレンズのレンズ面で反射し、その後、他のレンズ面で反射した後に像面に入射するとフレアーやゴーストとなる。フレアーやゴーストが多く発生すると画質が低下してくる。撮像光学系を構成するレンズの反射面には多くの場合、反射防止膜が施されている。
【０００３】
従来、ズームレンズを構成する第１レンズ群（前玉レンズ群）の少なくとも１面にウェットプロセスを用いて形成された層を少なくとも１層含む反射防止膜を用いたズームレンズが知られている（特許文献１）。また反射防止膜として、可視光の波長よりも短いピッチの微細構造体を複数配列した反射防止構造体が知られている。このような反射防止構造体をレンズ面に設けて反射光の軽減を効果的に図ったズームレンズが知られている（特許文献２，３）。
【先行技術文献】
【特許文献】
【０００４】
【特許文献１】特開２００８−２３３５８５号公報
【特許文献２】特開２０１０−２６６５７７号公報
【特許文献３】特開２０１０−２７１３７４号公報
【発明の概要】
【発明が解決しようとする課題】
【０００５】
撮像装置に用いられるズームレンズには、フレアーやゴーストの発生が少なく、画面全体にわたり高画質（高解像力）であることが強く要望されている。微細構造部よりなる反射防止構造体は広い入射角度で反射率が低く（入射角度特性が良く）、また広い波長帯域にわたり反射率を低くする（波長帯域特性を良くする）ことが容易である。
【０００６】
しかしながら、ズームレンズにおいて微細構造体を有する反射防止膜を用いて、良好なる入射角度特性かつ波長帯域特性を得るには、反射防止構造体を付与するレンズ群の屈折力や、レンズ群のレンズ面の開角等を適切に設定することが重要になってくる。これらの構成が適切でないと良好なる反射特性を得るのが困難になってくる。
【０００７】
本発明は、良好なる反射防止効果を有し、フレアーやゴーストの発生が少なく、高い光学性能が容易に得られるズームレンズ及びそれを有する撮像装置の提供を目的とする。
【課題を解決するための手段】
【０００８】
本発明のズームレンズは、物体側から像側へ順に、ズーミングに際して不動の正の屈折力の第１レンズ群、ズーミングに際して移動する負の屈折力の第２レンズ群、ズーミングに際して移動するレンズ群を１つ以上有する中間レンズ群、ズーミングに際して不動の正の屈折力の後レンズ群を有するズームレンズにおいて、
前記第２レンズ群は像側のレンズ面が凹形状で光線有効径を２Ｄ、曲率半径をＲｓとするとき、
０．４０＜｜Ｄ／Ｒｓ｜＜０．９０
なる条件式を満たすレンズ面ＧＲ１に平均ピッチが４００ｎｍ以下の複数の微細構造体を有する反射防止膜が施されていることを特徴としている。
【発明の効果】
【０００９】
本発明によれば、良好なる反射防止効果を有し、フレアーやゴーストの発生が少なく、高い光学性能が容易に得られるズームレンズが得られる。
【図面の簡単な説明】
【００１０】
【図１】実施例１における広角端において距離３ｍに合焦しているときのレンズ断面図
【図２】（ａ），（ｂ），（ｃ）  実施例１の広角端，中間のズーム位置，望遠端において距離３ｍに合焦しているときの収差図
【図３】（ａ），（ｂ）  実施例１におけるゴースト光路図の一例
【図４】実施例２における広角端において距離３ｍに合焦しているときのレンズ断面図
【図５】（ａ），（ｂ），（ｃ）  実施例２の広角端，中間のズーム位置，望遠端において距離３ｍに合焦しているときの収差図
【図６】実施例２におけるゴースト光路図の一例
【図７】実施例３における広角端において距離３ｍに合焦しているときのレンズ断面図
【図８】（ａ），（ｂ），（ｃ）  実施例３の広角端，中間のズーム位置，望遠端において距離３ｍに合焦しているときの収差図
【図９】実施例３におけるゴースト光路図の一例
【図１０】実施例４における広角端において距離６ｍに合焦しているときのレンズ断面図
【図１１】（ａ），（ｂ），（ｃ）  実施例４の広角端，中間のズーム位置，望遠端において距離６ｍに合焦しているときの収差図
【図１２】実施例４におけるゴースト光路図の一例
【図１３】実施例５における広角端において距離１３ｍに合焦しているときのレンズ断面図
【図１４】（ａ），（ｂ），（ｃ）  実施例５の広角端，中間のズーム位置，望遠端において距離１３ｍに合焦しているときの収差図
【図１５】実施例５におけるゴースト光路図の一例
【図１６】使用波長よりも細かい構造を有する反射防止構造体の概略図
【図１７】使用波長よりも細かい構造を有する反射防止構造体の他の一例の概略図
【図１８】複数の微細な形状空間を有する構造体からなる層を有する薄膜の概略図
【図１９】本発明の撮像装置の概略図
【発明を実施するための形態】
【００１１】
以下に、本発明の実施の形態を添付の図面に基づいて説明する。本発明のズームレンズは、物体側から像側へ順に、ズーミングに際して不動の正の屈折力の第１レンズ群、ズーミングに際して移動する負の屈折力の第２レンズ群を有する。更にズーミングに際して移動するレンズ群を１つ以上有する中間レンズ群、ズーミングに際して不動の正の屈折力の後レンズ群を有する。第２レンズ群は像側が凹形状のレンズ面を有し、このレンズ面に微細構造体を有する反射防止膜が施されている。
【００１２】
図１は本発明の実施例１の物体距離３ｍに合焦しているときの広角端におけるレンズ断面図である。ここで物体距離３ｍとは後述する数値実施例をｍｍ単位で表示したときの第１レンズ面からの距離である。これは以下の各実施例において同じである。図２（ａ），（ｂ），（ｃ）は本発明の実施例１において物体距離３ｍに合焦しているときの広角端，中間のズーム位置，望遠端における縦収差図である。図３（ａ），（ｂ）は本発明の実施例１において全系の焦点距離が６８ｍｍで物体距離３ｍのときのゴーストの発生を示す光路図である。
【００１３】
図４は本発明の実施例２の物体距離３ｍに合焦しているときの広角端におけるレンズ断面図である。図５（ａ），（ｂ），（ｃ）は本発明の実施例２において物体距離３ｍに合焦しているときの広角端，中間のズーム位置，望遠端における縦収差図である。図６は本発明の実施例２の全系の焦点距離が４８ｍｍで物体距離３ｍのときのゴーストの発生を示す光路図である。
【００１４】
図７は本発明の実施例３の物体距離３ｍに合焦しているときの広角端におけるレンズ断面図である。図８（ａ），（ｂ），（ｃ）は本発明の実施例３において物体距離３ｍに合焦しているときの広角端，中間のズーム位置，望遠端における縦収差図である。図９は本発明の実施例３の全系の焦点距離が２３ｍｍで物体距離３ｍのときのゴーストの発生を示す光路図である。
【００１５】
図１０は本発明の実施例４の物体距離６ｍに合焦しているときの広角端におけるレンズ断面図である。図１１（ａ），（ｂ），（ｃ）は本発明の実施例４において物体距離６ｍに合焦しているときの広角端，中間のズーム位置，望遠端における縦収差図である。図１２は本発明の実施例４の全系の焦点距離が５０ｍｍで物体距離６ｍのときのゴーストの発生を示す光路図である。
【００１６】
図１３は本発明の実施例５の物体距離１３ｍに合焦しているときの広角端におけるレンズ断面図である。図１４（ａ），（ｂ），（ｃ）は本発明の実施例５において物体距離１３ｍに合焦しているときの広角端，中間のズーム位置，望遠端における縦収差図である。図１５は本発明の実施例５の全系の焦点距離が１１ｍｍで物体距離１３ｍのときのゴーストの発生を示す光路図である。
【００１７】
図１６は本発明に係る反射防止膜の説明図である。図１７は本発明に係る反射防止膜の説明図である。図１８は本発明に係る反射防止膜の説明図である。図１９は本発明の撮像装置の要部概略図である。
【００１８】
本発明のズームレンズは、デジタルカメラ、ビデオカメラ、銀塩フィルムカメラ等の撮像装置や望遠鏡、双眼鏡の観察装置、複写機、プロジェクター等の光学機器に用いられるものである。レンズ断面図において左方が前方（物体側、拡大側）で、右方が後方（像側、縮小側）である。
【００１９】
レンズ断面図においてＵｉは第ｉレンズ群である。ＵＭはズーミングに際して移動するレンズ群を１つ以上有する中間レンズ群である。ＵＲはズーミングに際して不動の正の屈折力の後レンズ群である。ＳＰは開口絞りである。ＤＧはプリズム、フィルター等からなる光学ブロックである。ＩＰは像面であり、固体撮像素子（光電変換素子）の撮像面に相当している。レンズ断面図において、矢印は広角端から望遠端へのズーミングに際しての各レンズ群の移動軌跡を示す。
【００２０】
図１，図４，図７の実施例１乃至３において、Ｕ１はズーミングに際して不動の正の屈折力の第１レンズ群である。第１レンズ群Ｕ１はフォーカシングに際して移動する部分群が含まれている。Ｕ２は広角端（短焦点距離端）から望遠端（長焦点距離端）へのズーミングに際して像面側へ移動する変倍用の負の屈折力の第２レンズ群（バリエーターレンズ群）である。中間レンズ群ＵＭは第２レンズ群Ｕ２の変倍に連動して移動し、変倍に伴う像面変動を補正する負の屈折力の第３レンズ群（コンペンセーターレンズ群）Ｕ３よりなっている。
【００２１】
第３レンズ群Ｕ３は広角端から望遠端へのズーミングに際して物体側に凸状の軌跡で移動する。開口絞りＳＰはズーミングに際して不動であり、第３レンズ群Ｕ３の像側に配置されている。後レンズ群ＵＲはズーミングに際して不動の正の屈折力の第４レンズ群（リレーレンズ群）Ｕ４よりなっている。
【００２２】
図１０の実施例４において、Ｕ１，Ｕ２は実施例１と同じである。中間レンズ群ＵＭは、広角端から望遠端へのズーミングに際して移動する変倍用の負の屈折力の第３レンズ群Ｕ３と像面変動補正用の負の屈折力の第４レンズ群Ｕ４よりなっている。第３レンズ群Ｕ３と第４レンズ群Ｕ４は物体側に凸状の軌跡で移動する。後レンズ群ＵＲは、ズーミングに際して不動の正の屈折力の第５レンズ群（リレーレンズ群）よりなっている。
【００２３】
図１３の実施例５において、Ｕ１，Ｕ２，ＵＲ（Ｕ４）は実施例１乃至３と同じである。中間レンズ群ＵＭは、第２レンズ群Ｕ２の変倍に連動して移動し、変倍に伴う像面変動を補正する正の屈折力の第３レンズ群（コンペンセーターレンズ群）Ｕ３よりなっている。第３レンズ群Ｕ３は広角端から望遠端へのズーミングに際して物体側に非直線的に移動する。
【００２４】
各実施例においてレンズ群とはズーミングに際して変化するレンズ間隔によって分けられる１つ以上のレンズを含む集合体をいう。
【００２５】
収差図において、球面収差はｅ線（実線）とｇ線（点線）によって表されている。非点収差はｅ線のメリディオナル像面（ΔＭ）（点線）とｅ線のサジタル像面（ΔＳ）（実線）によって表されている。倍率色収差はｇ線によって表されている。ＦｎｏはＦナンバー、ωは半画角（度）である。すべての収差図において、球面収差は０．４ｍｍ、非点収差は０．４ｍｍ、歪曲は５％、倍率色収差は０．０５ｍｍのスケールで描かれている。尚、広角端と望遠端は変倍用の第２レンズ群Ｕ２が機構上光軸上を移動可能な範囲の両端に位置したときのズーム位置をいう。
【００２６】
図３（ａ），（ｂ）は、本発明の実施例１にかかわるゴースト発生に関する光路図である。図３（ａ），（ｂ）は数値実施例１のレンズ断面図を用いている。図３（ｂ）は図３（ａ）の第２レンズ群Ｕ２近傍の拡大図である。図３（ａ），（ｂ）では物体からの光束が第２レンズ群Ｕ２の物体側が凹形状のレンズ面ＧＲ２で反射した後、像側が凹形状のレンズ面ＧＲ１で反射し、像面ＩＰに達してゴーストとなる光路を示している。
【００２７】
図３（ａ）に示すように、物体側からの光線ＭＬ１、光線ＰＬ、光線ＭＬ２が図示のようにズームレンズに入射すると、ゴーストが発生してくる。ここで、第１レンズ群Ｕ１で最も周辺側を通る光線をマージナル光線ＭＬ１、第４レンズ群Ｕ４の最も像側のレンズ群において最も周辺側を通る光線をマージナル光線ＭＬ２、マージナル光線ＭＬ１とマージナル光線ＭＬ２の光束中心の光線をＰＬとする。図３（ｂ）に示すようにゴーストはレンズ面ＧＲ１とレンズ面ＧＲ２の２つのレンズ面からの反射により発生している。
【００２８】
本発明のズームレンズは、このときに発生するゴーストを軽減するために、レンズ面ＧＲ１の開角とレンズ面ＧＲ１に施す反射防止膜を適切に設定している。
【００２９】
本発明のズームレンズは、物体側から像側へ順に、ズーミングに際して不動の正の屈折力の第１レンズ群Ｕ１、ズーミングに際して移動する負の屈折力の第２レンズ群Ｕ２、ズーミングに際して移動するレンズ群を１つ以上有する中間レンズ群ＵＭを有する。ズーミングに際して不動の正の屈折力の後レンズ群ＵＲを有する。
【００３０】
第２レンズ群Ｕ２は像側のレンズ面が凹形状で光線有効径を２Ｄ、曲率半径をＲｓとする。このとき、
０．４０＜｜Ｄ／Ｒｓ｜＜０．９０    ・・・（１）
なる条件式を満たすレンズ面ＧＲ１に平均ピッチが４００ｎｍ以下の複数の微細構造体を有する反射防止膜が施されている。
【００３１】
また第２レンズ群Ｕ２の焦点距離をｆ２、広角端における全系の焦点距離をｆｗとする。このとき、
−５．００＜ｆ２／ｆｗ＜−０．５０  ・・・（２）
なる条件式を満たす。
【００３２】
また本発明のズームレンズを撮像素子を有する撮像装置に用いたとき撮像素子の有効面の対角線長の端部に入射する光線をマージナル光線とする。このとき第１レンズ群Ｕ１の最も周辺部を通過するマージナル光線が、第２レンズ群Ｕ２のレンズ面ＧＲ１よりも像側のレンズ面ＧＲ２で反射した後にレンズ面ＧＲ１で反射するときのレンズ面ＧＲ１の光軸からの高さをｙとする。このとき、
０．３０＜｜ｙ／Ｄ｜    ・・・（３）
なる条件式を満足する。
【００３３】
次に前述の各条件式の技術的意味について説明する。条件式（１）は、レンズ面ＧＲ１の光線有効径２Ｄとレンズ面ＧＲ１の曲率半径Ｒｓの比を規定し、所謂開角を表している。条件式（１）の上限を超えて開角が大きくなると、蒸着法で反射防止膜を構成する場合、レンズ中心とレンズ周辺で膜厚差が出てしまう。また、開角が大きい面に入る不要光線の入射角度が大きくなりやすいため、レンズ周辺の反射率の波長帯域特性・入射角度特性が低下し、反射防止膜としての効果が薄らいでゴーストが発生しやすくなる。
【００３４】
条件式（１）の下限値を超えたときは、入射角度特性・波長帯域特性の低下は小さいため、ゴーストやフレアが発生しにくくなり、反射防止膜を施す必要がなくなる。
【００３５】
条件式（２）は、第２レンズ群Ｕ２の焦点距離ｆ２と広角端における全系の焦点距離ｆｗの比を規定している。屈折力は焦点距離の逆数で定義される。条件式（２）の上限値を超えて、第２レンズ群Ｕ２の負の屈折力が大きくなると（負の屈折力の絶対値が大きくなると）高ズーム比化は容易となるが、ズーミングに際し主変倍用のレンズ群である第２レンズ群Ｕ２の移動により光線の通り方が大きく変化してくる。そうするとゴーストやフレアーが発生しやすくなる。
【００３６】
条件式（２）の下限値を超えて第２レンズ群Ｕ２の負の屈折力が小さくなると、高ズーム比化を達成するために、第２レンズ群Ｕ２の移動量を増加させねばならず、レンズ全長が増大してくる。
【００３７】
条件式（３）は、レンズ面ＧＲ１で反射するマージナル光線ＭＬ１の光軸からの高さｙとレンズ面ＧＲ１の光線有効径の半径Ｄの比を規定している。条件式（３）におけるｙは、レンズ面ＧＲ２にて反射した光線ＭＬ１、光線ＭＬ２がレンズ面ＧＲ１に入射する際、光軸からより離れている方（光軸からの高さが高い方）の光線の高さである。
【００３８】
図３（ｂ）に示すように、レンズ面ＧＲ１に入射する光線ＭＬ１、光線ＭＬ２のうち、光線ＭＬ１のほうが光軸からより離れている位置で入射する場合、光線ＭＬ１がレンズ面ＧＲ２で反射し、レンズ面ＧＲ１に入射するときの光軸からの高さをｙとする。条件式（３）の下限値を下回ると、光線ＭＬ１がレンズの中心付近に入射することを表す。レンズの中心付近では、反射率の波長帯域特性・入射角度特性が良いため、ゴーストやフレアーが発生する原因となる有害光が発生しにくい。条件式（３）を満足するレンズ面ＧＲ１に反射防止膜を施して、ゴースト光の発生を軽減している。
【００３９】
本発明のズームレンズは、光学面のうち少なくとも１面に、平均ピッチが４００ｎｍ以下の複数の微細構造体を持つ反射防止膜を有し、反射率抑制波長帯域の広い反射防止膜が施されている。例えば各実施例では、条件式（１）を満たすレンズ面に対して、平均ピッチが４００ｎｍ以下の複数の微細構造体を持つ反射防止膜を施している。これにより反射率の抑制波長帯域の広い反射防止の効果を得て、ゴーストやフレアーの発生を低減している。
【００４０】
なお、図３（ｂ）における第１反射面であるレンズ面ＧＲ２は物体側に向かって凹面であるが、レンズ面ＧＲ２は物体側に向かって凸形状でもよい。また、レンズ面ＧＲ２においても条件式（１）を満たす場合、レンズ面ＧＲ２にも平均ピッチが４００nm以下の複数の微細構造体で波長帯域の広い反射防止を有する反射防止膜を構成すれば、さらにゴーストやフレアーの発生を低減することができる。
【００４１】
各実施例において更に好ましくは前途の各条件式の数値範囲を次の如く設定するのが好ましい。
０．４２＜｜Ｄ／Ｒｓ｜＜０．９０    ・・・（１ａ）
−４．６０＜ｆ２／ｆｗ＜−０．５０  ・・・（２ａ）
０．３４＜｜ｙ／Ｄ｜                ・・・（３ａ）
【００４２】
各実施例において反射防止膜は、最上層（空気に接する層）が微細構造体よりなり、微細構造体の屈折率は１．３０以下である。そして、入射角０°における波長４００〜７５０nmの反射率の平均値が０．５％以下である。また反射防止膜は、入射角４５°および入射角０°において、波長４００ｎｍにおける反射率をＲＡ、波長７００ｎｍにおける反射率をＲＢとする。このとき、
ＲＢ／ＲＡ＜３．０・・・（４）
なる条件式を満たす。
【００４３】
条件式（４）は、入射角４５°および入射角０°において、波長４００ｎｍにおける反射率ＲＡと波長７００ｎｍにおける反射率ＲＢの比を規定し、反射防止膜の波長帯域特性・入射角度特性を表している。条件式（４）の上限値を超えると、反射防止膜の波長帯域特性・入射角度特性が低いため、反射防止膜としての効果が薄らいでゴーストが発生しやすくなる。反射防止膜は、最上層とレンズ面との間に、単層膜又は多層膜より成る中間層を有する。中間層を設けることにより、最上層を透過した光のレンズ面での反射を減少させることができ、より高性能な反射防止性能が得られる。
【００４４】
図１６は本発明に係る反射防止膜を有する光学素子の概略図である。図１６において、１００は光学素子（レンズ）である。１０１は光学ガラスからなる透明基板、１０２は反射防止膜であり、反射防止構造体（反射構造体）よりなっている。１０４は反射防止構造体１０２の凹凸形状よりなる構造部である。１０３は反射防止構造体１０２の構造間（構造部１０４間）のピッチである。１０４ｐは構造部１０４のピッチである。
【００４５】
反射防止構造体１０２において、ピッチ１０３が使用波長（例えば波長４００ｎｍ〜波長７００ｎｍ）よりも小さい構造である場合、この内部では、光は反射防止構造体１０２が均質な膜であるかのように振舞うことが知られている。反射防止構造体１０２の内部では、その構造部１０４をなす材料の体積比に準じた特性を示す。図１６の構成を例にとると、反射防止構造体１０２の等価屈折率ｎｅｆｆは、構造部１０４の材料の屈折率ｎｓと構造部１０４の体積比ｆｆを使って、式（ｉ）で簡略的に求められる。
ｎｅｆｆ＝ｆｆ・ｎｓ＋（１−ｆｆ）    ・・・（ｉ）
【００４６】
ここで体積比ｆｆは、
｛（構造部１０４のピッチ１０４ｐ）／（構造間のピッチ１０３）｝
で求められる。
【００４７】
反射防止構造体１０２が空気との混合体の場合、等価屈折率ｎｅｆｆは従来の薄膜材料
では実現困難な低屈折率な膜と等価となる。低屈折率な膜を利用した反射防止膜は、非常
に高性能な反射防止性能を示す。このような構成の反射防止構造体１０２を透明基板１０２の表面に付与すると、反射光の強度が非常に弱くなり、光学系に用いたとき、ゴースト、フレアーの発生が少なくなる。
【００４８】
ここでは説明のために反射防止構造体１０２は周期構造の構造部１０４よりなる場合を例に挙げたが、構造部１０４間のピッチ１０３が使用光の波長以下ならば、反射防止構造体１０２は非周期構造の構造部よりなる場合でも構わない。また、反射防止構造体１０２の構造部１０４の形状は短形構造（凹凸形状）でなくても三角形状、六角形状等、何でも良い。反射防止構造体１０２を使用していれば、薄膜などと組み合わせた多層膜構造より構成しても良い。
【００４９】
使用波長が単波長ではなく、ある範囲にわたっているのであれば、平均ピッチを使用波長以下の最短波長以下とすればよく、ここでは可視域の場合を適用し、平均ピッチを４００ｎｍ以下としている。これは、使用波長の最短波長よりも大きな平均ピッチを用いると、回折や散乱による有害光が発生してしまうためである。
【００５０】
図１７は本発明に係る反射防止膜を有する光学素子の概略図である。図１７において、１１０は光学素子（レンズ）である。１１１は光学ガラスからなる透明基板、１１２は反射防止構造体、１１３は単一又は複数の層よりなる薄膜（中間層）である。反射防止構造体１１２は微細凹凸形状の構造部１１２ａよりなる。構造部１１２ａの平均ピッチは使用波長以下である。このように、反射防止構造体１１２は厚さ方向に密度が変わってもかまわない。
【００５１】
反射防止構造体１１２のように厚さ方向で密度が変わる構造は、空気から基板１１１に向けて屈折率が連続的に増加するように変化するような膜と等価である。また、反射防止構造体１１２と基板１１１の間に薄膜１１３を設けている。これにより、より高性能な反射防止性能を得ている。
【００５２】
なお、構造体１１２ａの平均ピッチが４００ｎｍ以下の微細構造からなれば反射防止構造体１１２は、どのような方法で作成されたものでも構わない。例えば、レンズ表面にアルミニウム含有する溶液を塗布することで皮膜を形成し、該皮膜を温水処理することで微細構造を形成する方法を用いることができる。また、アルミニウムあるいはアルミニウム合金を陽極酸化する際に形成される細孔を金型表面に形成し、該細孔をレプリカ法やモールド法などでレンズ表面に転写するなどの方法を用いても良い。
【００５３】
これらの方法を用いれば、安価に大面積のレンズ表面にも、平均ピッチが使用波長以下の微細構造を容易に形成することができる。
【００５４】
図１８は本発明に係る反射防止膜を有する光学素子の概略図である。図１８において、２００は光学素子（レンズ）である。２０１は光学ガラスからなる透明基板、２０２は薄膜層である。２０５は複数の微細構造空間を有する構造体からなる層である。層２０５における２０５ａは微細構造空間、２０５ｂは膜の表面である。微細構造空間２０５ａと層２０５の体積比によって層２０５の屈折率が決まる。
【００５５】
層２０５において厚さ方向で密度が変わる構造は、空気から基板２０１に向けて屈折率が連続的に変化するような膜と等価である。基板２０１の上に、複数の微細構造空間を有する構造体からなる層２０５が最上層に位置するように構成している。
【００５６】
これにより、より高性能な反射防止性能を得ている。図１８のような薄膜では、膜の表面２０５ｂに開口を持たないために、低屈折率でありながら、機械強度にも優れた膜となる。なお複数の微細構造空間を有する構造体からなる層は、どのような方法で作成されたものでも構わない。例えば、複数の微細な管状空間を有する構造体からなる層を作成する場合、管状空間を一軸配向させたメソ構造体膜を用いても良い。
【００５７】
次に、各実施例の特徴について説明する。実施例１は図３（ａ），（ｂ）に示すようにマージナル光線ＭＬ１は第２レンズ群Ｕ２内のレンズ面ＧＲ２、レンズ面ＧＲ１という順に面反射し、撮像面ＩＰに到達している。レンズ面ＧＲ１には、平均ピッチが４００ｎｍ以下の複数の微細構造体を有する反射防止膜が施されており、これにより波長帯域の広い反射防止を行っている。
【００５８】
この微細構造体は基板側から空気側に向けて、連続的に密度が減少するように微細な凹凸構造が複数構成されている。これにより実質的な屈折率が基板側から空気側に向けて徐々に１に近づく構造になっている。これにより、反射率の抑制波長帯域の広い反射防止膜防止膜を実現している。
【００５９】
本実施例のレンズ面ＧＲ２は像面に対し凹面を向ける構成となっている。レンズ面ＧＲ１の光線有効径の半径Ｄは１１．４３０ｍｍであり、曲率半径Ｒｓは１５．１７０ｍｍである。｜Ｄ／Ｒｓ｜は０．７５となる。従って、条件式（１）を満たしている。また、本実施例のレンズ面ＧＲ１におけるゴースト光線（マージナル光線ＭＬ１）の光軸からの高さｙは７．５２ｍｍであり、｜ｙ／Ｄ｜は０．６６となる。従って、条件式（３）を満たしている。
【００６０】
条件式（１）を満たすことで、ゴースト光線（マージナル光線ＭＬ１）の反射面への入射角が大きくなり、反射防止膜の効果がより高まる。
【００６１】
実施例２は図６に示すようにマージナル光線ＭＬ１は第４レンズ群Ｕ４内のレンズ面ＧＲ２と第２レンズ群Ｕ２内のレンズ面ＧＲ１という順に面反射し、撮像面ＩＰに到達している。レンズ面ＧＲ１には、平均ピッチが４００ｎｍ以下の複数の微細構造体を有する反射防止膜が施されており、これにより波長帯域の広い反射防止を行っている。この微細構造体は基板側から空気側に向けて、連続的に密度が減少するように構成されている。これにより実質的な屈折率が基板側から空気側に向けて徐々に１に近づく構造になっている。これにより、反射率の抑制波長帯域の広い反射防止膜を実現している。
【００６２】
本実施例のレンズ面ＧＲ２は像面に対し凹面を向ける構成となっている。レンズ面ＧＲ１の光線有効径の半径Ｄは１０．０１０ｍｍであり、曲率半径Ｒｓは１６．８１２ｍｍである。｜Ｄ／Ｒｓ｜は０．６０となる。従って、条件式（１）を満たしている。また、本実施例のレンズ面ＧＲ１におけるゴースト光線の光軸からの高さｙは６．６６ｍｍであり、｜ｙ／Ｄ｜は０．６７となる。従って、条件式（３）を満たしている。条件式（１）を満たすことで、ゴースト光線の反射面への入射角が大きくなり、反射防止膜の効果がより高まる。
【００６３】
実施例３は図９に示すようにマージナル光線ＭＬ１は第２レンズ群Ｕ２内のレンズ面ＧＲ２、レンズ面ＧＲ１という順に面反射し、撮像面ＩＰに到達している。レンズ面ＧＲ１には、平均ピッチが４００ｎｍ以下の複数の微細構造体を有する反射防止膜が施されており、これにより波長帯域の広い反射防止を行っている。この微細構造体は基板側から空気側に向けて、連続的に密度が減少するように構成されている。これにより実質的な屈折率が基板側から空気側に向けて徐々に１に近づく構造になっている。これにより、反射率の抑制波長帯域の広い反射防止膜を実現している。
【００６４】
本実施例のレンズ面ＧＲ２は像面に対し凸面を向ける構成となっている。レンズ面ＧＲ１の光線有効径の半径Ｄは１０．０１０ｍｍであり、曲率半径Ｒｓは１６．８１２ｍｍである。｜Ｄ／Ｒｓ｜は０．６０となる。従って、条件式（１）を満たしている。また、本実施例のレンズ面ＧＲ１におけるゴースト光線の光軸からの高さｙは８．７５ｍｍであり、｜ｙ／Ｄ｜は０．８７となる。従って、条件式（３）を満たしている。条件式（１）を満たすことで、ゴースト光線の反射面への入射角が大きくなり、反射防止膜の効果がより高まる。
【００６５】
実施例４は図１２に示すようにマージナル光線ＭＬ１は第３レンズ群Ｕ３内のレンズ面ＧＲ２、第２レンズ群Ｕ２内のレンズ面ＧＲ１という順に面反射し、撮像面ＩＰに到達している。レンズ面ＧＲ１には、平均ピッチが４００ｎｍ以下の複数の微細構造体を有する反射防止膜が施されており、これにより波長帯域の広い反射防止を行っている。この微細構造体は基板側から空気側に向けて、連続的に密度が減少するように構成されている。これにより実質的な屈折率が基板側から空気側に向けて徐々に１に近づく構造になっている。これにより、反射率の抑制波長帯域の広い反射防止膜を実現している。
【００６６】
本実施例のレンズ面ＧＲ２は像面に対し凹面を向ける構成となっている。レンズ面ＧＲ１の光線有効径の半径Ｄは１５．３６５ｍｍであり、曲率半径Ｒｓは２１．５０９ｍｍである。｜Ｄ／Ｒｓ｜は０．７１となる。従って、条件式（１）を満たしている。また、本実施例のレンズ面ＧＲ１におけるゴースト光線の光軸からの高さｙは５．５８ｍｍであり、｜ｙ／Ｄ｜は０．３６となる。従って、条件式（３）を満たしている。条件式（１）を満たすことで、ゴースト光線の反射面への入射角が大きくなり、反射防止膜の効果がより高まる。
【００６７】
実施例５は図１５に示すようにマージナル光線ＭＬ１は第２レンズ群Ｕ２内のレンズ面ＧＲ２、レンズ面ＧＲ１という順に面反射し、撮像面ＩＰに到達している。レンズ面ＧＲ１には、平均ピッチが４００ｎｍ以下の複数の微細構造体を有する反射防止膜が施されており、これにより波長帯域の広い反射防止を行っている。この微細構造体は基板側から空気側に向けて、連続的に密度が減少するように構成されている。これにより実質的な屈折率が基板側から空気側に向けて徐々に１に近づく構造になっている。これにより、反射率の抑制波長帯域の広い反射防止膜を実現している。
【００６８】
本実施例のレンズ面ＧＲ２は像面に対し凹面を向ける構成となっている。レンズ面ＧＲ１の光線有効径の半径Ｄは２０．９６０ｍｍであり、曲率半径Ｒｓは４１．０６５ｍｍである。｜Ｄ／Ｒｓ｜は０．５１となる。従って、条件式（１）を満たしている。また、本実施例のレンズ面ＧＲ１におけるゴースト光線の光軸からの高さｙは１９．７１ｍｍであり、｜ｙ／Ｄ｜は０．９４となる。従って、条件式（３）を満たしている。条件式（１）を満たすことで、ゴースト光線の反射面への入射角が大きくなり、反射防止膜の効果がより高まる。
【００６９】
図１９を用いて、各数値実施例のズームレンズを撮像光学系として用いた撮像装置（テレビカメラシステム）の概要を説明する。図１９は本発明の撮像装置の要部概略図である。図１８において１０１は数値実施例１乃至５のいずれか１つのズームレンズである。１２４はカメラである。ズームレンズ１０１はカメラ１２４に対して着脱可能になっている。１２５はカメラ１２４にズームレンズ１０１を装着することにより構成される撮像装置である。
【００７０】
ズームレンズ１０１は第１レンズ群Ｆ、変倍レンズ群ＬＺ、結像用のレンズ群Ｒを有している。第１レンズ群Ｆはフォーカス用のレンズ群が含まれている。変倍レンズ群ＬＺは変倍の為に光軸上を移動するレンズ群と、変倍に伴う像面変動を補正する為に光軸上を移動するレンズ群が含まれている。ＳＰは開口絞りである。
【００７１】
１１４、１１５は、各々第１レンズ群Ｆ、変倍レンズ群ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆ、変倍レンズ群ＬＺの光軸上の位置や、開口絞りＳＰの絞り径を検出する為のエンコーダやポテンショメータ、あるいはフォトセンサ等の検出器である。
【００７２】
カメラ１２４において、１０９はカメラ１２４内の光学フィルターや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００７３】
以下に本発明の実施例１乃至５に対応する数値実施例１乃至５を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉはそれぞれ第ｉ番目の光学部材の屈折率とアッベ数である。ＢＦはバックフォーカスであり、最終レンズ面から像面までの空気換算長である。レンズ全長は第１レンズ面から最終レンズ面までの距離にバックフォーカスを加えた値である。
【００７４】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２、Ａ１３、Ａ１４、Ａ１５、Ａ１６をそれぞれ非球面係数とする。このとき、次式で表す。
【００７５】
【数１】
2016048352.tif 000003
【００７６】
で表される。又、例えば「ｅ−Ｚ」は「×１０−Ｚ」を意味する。＊印は非球面であることを示している。各実施例と前述した条件式との対応を表１に示す。 
【００７７】
(数値実施例１)
単位 mm
面データ
面番号       r        d      nd         νd       有効径
1       -209.135    2.00   1.80518    25.4       83.45
2        197.530    5.48                         79.83
3        428.796   10.15   1.43875    94.9       78.85
4       -135.200    7.18                         78.17
5        201.248    8.51   1.49700    81.5       76.81
6       -277.954    0.20                         76.55
7         98.823    8.49   1.62041    60.3       73.26
8       2720.590    0.20                         72.40
9         60.166    6.49   1.62041    60.3       65.55
10        121.266  (可変)                         64.60
11*       711.582    0.80   1.88300    40.8       29.03
12         15.170    5.94                         22.85
13       -809.880    7.21   1.80518    25.4       22.62
14        -13.834    0.80   1.77250    49.6       22.35
15         42.401    0.20                         20.52
16*        32.808    4.87   1.56732    42.8       20.49
17        -45.854    1.31                         19.87
18        -22.459    0.80   1.88300    40.8       19.79
19        -52.494  (可変)                         19.98
20        -29.824    0.80   1.81600    46.6       20.28
21         72.483    2.31   1.92286    21.3       21.84
22       -262.925  (可変)                         22.35
23(絞り)    ∞       1.30                         25.88
24        912.463    3.93   1.62041    60.3       26.92
25        -43.816    0.15                         27.60
26        118.108    3.42   1.51823    58.9       28.52
27        -90.208    0.15                         28.66
28         58.769    6.50   1.51823    58.9       28.62
29        -38.276    1.15   1.78590    44.2       28.26
30        359.890   34.00                         28.13
31         63.086    5.50   1.51633    64.1       28.42
32        -47.504    2.33                         28.16
33        -67.885    1.15   1.79952    42.2       26.25
34         25.622    6.23   1.51823    59.0       25.57
35       -134.526    0.15                         26.05
36         72.667    6.82   1.48749    70.2       26.52
37        -26.202    1.15   1.80610    40.9       26.58
38       -111.229    0.15                         27.48
39         47.231    5.74   1.51823    59.0       28.16
40        -58.068    4.50                         28.02
41          ∞      30.00   1.60342    38.0       25.60
42          ∞      16.20   1.51633    64.2       18.42
43          ∞       8.57                         14.32
像面        ∞   
【００７８】
非球面データ
第11面
K = 1.17472e+003  A 4= 8.32116e-006  A 6=-8.12062e-009  A 8=-2.06342e-011
A10= 3.22715e-014  
第16面
K = 3.00329e-001  A 4= 1.32059e-005  A 6= 2.22623e-008  A 8=-1.23706e-010
A10= 1.81953e-012  
各種データ
ズーム比     20.00 
広角     中間     望遠
焦点距離       8.00    48.00   160.00  
Fナンバー      1.80     1.80     2.50  
半画角（度）  34.51     6.54     1.97  
像高           5.50     5.50     5.50  
レンズ全長   255.63   255.63   255.63  
BF            42.46    42.46    42.46  
d10            1.24    42.00    52.22  
d19           53.87     6.98     6.65  
d22            4.50    10.63     0.74  
ズームレンズ群データ
群  始面    焦点距離  レンズ構成長  前側主点位置  後側主点位置
1    1      70.00        48.71        31.17          0.05
2   11     -13.50        21.93         2.30        -11.82
3   20     -45.00         3.11        -0.29         -1.93
4   23      61.92       130.51        75.16       -131.97
【００７９】
（数値実施例２）
単位 mm
面データ
面番号       r        d      nd         νd       有効径
1        600.261    2.20   1.75520    27.5       72.83
2         81.461   11.42   1.49700    81.6       69.52
3       -290.956    7.63                         69.08
4         86.701    7.86   1.62041    60.3       65.46
5       3044.710    0.15                         64.99
6         66.016    6.01   1.72916    54.7       61.52
7        145.708  (可変)                         60.42
8        111.445    0.80   1.88300    40.8       23.69
9         16.812    4.65                         20.03
10        -47.842    0.70   1.81600    46.6       19.80
11         33.779    2.24                         19.27
12         28.944    5.20   1.80518    25.4       19.72
13        -29.192    0.54                         19.31
14        -24.664    0.70   1.78800    47.4       18.93
15        132.572  (可変)                         18.45
16        -28.806    0.75   1.74320    49.3       20.25
17         37.218    3.81   1.84666    23.9       22.24
18        449.023  (可変)                         23.13
19(絞り)    ∞       1.80                         27.20
20       -231.233    3.33   1.67003    47.2       28.33
21        -49.133    0.20                         29.14
22       -170.365    4.05   1.51742    52.4       29.94
23        -38.625    0.20                         30.51
24         36.315   10.16   1.48749    70.2       31.27
25        -35.564    1.66   1.83400    37.2       30.52
26          ∞      36.00                         30.51
27         97.385    6.35   1.50137    56.4       30.32
28        -44.438    0.20                         30.04
29       -535.653    1.40   1.83400    37.2       28.54
30         21.016    7.22   1.50137    56.4       26.76
31       -424.093    1.50                         26.79
32         38.505    8.29   1.51823    58.9       26.75
33        -27.482    1.40   1.77250    49.6       26.50
34         91.360    0.30                         26.93
35         38.429    6.84   1.53172    48.8       27.63
36        -52.407    5.00                         27.55
37          ∞      30.00   1.60342    38.0       36.00
38          ∞      16.20   1.51633    64.2       36.00
39          ∞      10.01                         36.00
像面        ∞   
【００８０】
各種データ
ズーム比     19.50 
広角     中間     望遠
焦点距離       9.50    38.86   185.25  
Fナンバー      1.85     1.85     2.85  
半画角（度）  30.07     8.06     1.70  
像高           5.50     5.50     5.50  
レンズ全長   249.46   249.46   249.46  
BF            44.4     44.4     44.4   
d 7            0.65    35.96    52.03  
d15           53.75    13.38     6.32  
d18            5.10    10.15     1.15  
d39           10.01    10.01    10.01  
ズームレンズ群データ
群  始面    焦点距離  レンズ構成長  前側主点位置  後側主点位置
1    1      76.20        35.27        18.29         -6.23
2    8     -14.00        14.84         2.02         -8.81
3   16     -40.00         4.56         0.14         -2.33
4   19      69.72       142.10        84.39       -159.30
【００８１】
（数値実施例３）
単位 mm
面データ
面番号       r        d      nd         νd       有効径
1        600.261    2.20   1.75520    27.5       72.83
2         81.461   11.42   1.49700    81.6       69.52
3       -290.956    7.63                         69.08
4         86.701    7.86   1.62041    60.3       65.46
5       3044.710    0.15                         64.99
6         66.016    6.01   1.72916    54.7       61.52
7        145.708  (可変)                         60.42
8        111.445    0.80   1.88300    40.8       23.69
9         16.812    4.65                         20.03
10        -47.842    0.70   1.81600    46.6       19.80
11         33.779    2.24                         19.27
12         28.944    5.20   1.80518    25.4       19.72
13        -29.192    0.54                         19.31
14        -24.664    0.70   1.78800    47.4       18.93
15        132.572  (可変)                         18.45
16        -28.806    0.75   1.74320    49.3       20.25
17         37.218    3.81   1.84666    23.9       22.24
18        449.023  (可変)                         23.13
19          ∞       1.80                         27.20
20          ∞       3.79   1.72342    38.0       28.68
21        -46.584    0.20                         29.33
22        166.701    3.92   1.51112    60.5       30.31
23        -63.568    0.20                         30.50
24         42.160    8.34   1.48749    70.2       30.27
25        -33.917    1.66   1.83400    37.2       29.67
26        172.175   21.27                         29.49
27        111.436    6.19   1.50137    56.4       31.36
28        -44.823    0.20                         31.27
29         82.661    1.40   1.83400    37.2       29.27
30         20.646    7.09   1.50137    56.4       27.12
31        284.915    0.20                         26.77
32         60.636    7.53   1.51633    64.2       26.53
33        -24.607    1.40   1.80400    46.6       25.89
34        105.806    0.30                         25.80
35         44.171    6.68   1.50137    56.4       26.05
36        -37.129    5.00                         25.82
37          ∞      30.00   1.60342    38.0       36.00
38          ∞      16.20   1.51633    64.2       36.00
39          ∞       9.94                         36.00
像面        ∞   
【００８２】
各種データ
ズーム比     19.50 
広角     中間     望遠
焦点距離       9.50    38.86   185.25  
Fナンバー      1.85     1.85     2.85  
半画角（度）  30.07     8.06     1.70  
像高           5.50     5.50     5.50  
レンズ全長   230.66   230.66   230.66  
BF            44.33    44.33    44.33  
d 7            0.65    35.96    52.03  
d15           53.75    13.38     6.32  
d18            5.10    10.15     1.15  
ズームレンズ群データ
群  始面    焦点距離  レンズ構成長  前側主点位置  後側主点位置
1    1      76.20        35.27        18.29         -6.23
2    8     -14.00        14.84         2.02         -8.81
3   16     -40.00         4.56         0.14         -2.33
4   19      43.70       123.37        40.15        -96.18
【００８３】
（数値実施例４）
単位 mm
面データ
面番号       r        d      nd         νd       有効径
1       2652.061    3.00   1.80610    40.9      107.88
2        204.831    1.05                        107.49
3        197.497   15.28   1.43387    95.1      108.03
4       -271.180    1.25                        108.22
5        208.026   10.98   1.43387    95.1      107.45
6       -761.727    0.20                        107.04
7        131.175    8.25   1.43387    95.1      102.62
8        313.243    0.20                        101.64
9        102.231    4.95   1.43387    95.1       96.90
10        131.368  (可変)                         95.64
11        192.381    1.50   1.88300    40.8       36.84
12         21.509    9.38                         30.73
13        -49.445    1.50   1.81600    46.6       30.74
14       -305.945    0.70                         31.77
15         39.516    6.67   1.80809    22.8       34.00
16       -435.042    0.41                         33.51
17        248.900    1.50   1.81600    46.6       32.96
18         60.878  (可変)                         32.06
19        -51.193    1.30   1.71700    47.9       27.19
20         51.947    2.99   1.84649    23.9       28.84
21        344.246  (可変)                         29.15
22        322.535    5.17   1.60738    56.8       37.64
23        -71.155    0.15                         38.27
24         59.010    7.81   1.51823    58.9       39.32
25        -79.696    0.35                         39.05
26         46.164    9.05   1.48749    70.2       35.93
27        -51.986    1.50   1.83400    37.2       34.44
28         72.123  (可変)                         32.42
29(絞り)    ∞       2.00                         27.13
30        133.530    4.73   1.48749    70.2       26.59
31        -55.172    1.50   1.88300    40.8       26.08
32        126.627   42.46                         25.87
33       -302.336    5.00   1.51742    52.4       29.64
34        -38.361    0.15                         30.11
35        537.796    1.50   1.77250    49.6       29.67
36        110.000    4.92   1.51742    52.4       29.46
37        -98.222    0.40                         29.27
38         71.291    7.55   1.51742    52.4       28.50
39        -34.196    1.50   1.88300    40.8       27.49
40        174.577    0.14                         27.15
41         28.850    5.44   1.48749    70.2       27.18
42         95.804    3.80                         26.19
43          ∞      33.00   1.60859    46.4       40.00
44          ∞      13.20   1.51680    64.2       40.00
45          ∞      10.01                         40.00
像面        ∞   
【００８４】
各種データ
ズーム比     36.97 
広角     中間     望遠
焦点距離      10.50    63.13   388.15  
Fナンバー      2.00     2.00     3.67  
半画角（度）  27.65     4.98     0.81  
像高           5.50     5.50     5.50  
レンズ全長   378.03   378.03   378.03  
BF            43.03    43.03    43.03  
d10            1.19    92.71   128.70  
d18          132.74    20.96     7.58  
d21           11.13    23.55     1.41  
d28           17.52    25.37    24.89  
ズームレンズ群データ
群  始面    焦点距離  レンズ構成長  前側主点位置  後側主点位置
1    1     170.00        45.16        19.74        -11.48
2   11     -26.00        21.66         1.69        -14.13
3   19     -71.33         4.29         0.28         -2.08
4   22      44.98        24.02        -2.39        -15.65
5   29      52.33       127.28        54.59        -21.26
【００８５】
（数値実施例５）
単位 mm
面データ
面番号       r        d      nd         νd       有効径
1       1571.411    5.91   1.90366    31.3      212.83
2        361.491    3.13                        205.43
3        389.831   20.85   1.43387    95.1      204.88
4      -1519.134   25.29                        203.52
5        379.388   19.40   1.43387    95.1      198.91
6      -1690.060    0.25                        198.64
7        270.376   20.46   1.43387    95.1      194.91
8       5840.434    1.18                        193.83
9        190.778   14.41   1.59240    68.3      182.16
10        365.545  (可変)                        180.35
11*      11015.733    2.20   2.00330    28.3       48.62
12         41.065   10.49                         41.92
13        -62.377    1.40   1.88300    40.8       41.20
14         65.176    9.88   1.95906    17.5       42.38
15        -89.087    2.72                         43.74
16        -51.909    1.60   1.83400    37.2       43.88
17       -103.320  (可変)                         46.02
18        115.185   11.58   1.59201    67.0       78.48
19*     -2087.691    0.50                         78.91
20        142.758   13.08   1.59201    67.0       80.06
21       -231.655    0.20                         79.67
22        122.793    2.50   1.80518    25.4       76.01
23         57.717   18.11   1.43387    95.1       71.57
24       -564.234    0.50                         70.45
25*       364.246    6.50   1.49700    81.5       69.33
26       -414.835  (可変)                         68.15
27(絞り)    ∞       5.89                         31.81
28       -147.172    1.40   1.81600    46.6       32.30
29         46.924    1.05                         31.20
30         37.303    4.69   1.80809    22.8       31.30
31        420.501    3.37                         30.90
32        -76.047    1.40   1.88300    40.8       30.60
33        191.170   11.30                         30.40
34        -41.223    1.78   1.65160    58.5       26.67
35        580.472    3.52   1.80518    25.4       27.78
36       -156.414    6.46                         28.43
37       -103.332    5.71   1.70154    41.2       30.13
38        -53.979   10.53                         31.42
39       -216.194    4.49   1.50137    56.4       32.25
40        -43.973    0.74                         32.44
41        -72.585    1.30   1.88300    40.8       31.89
42         61.011    9.51   1.50137    56.4       32.28
43        -35.679    0.20                         33.06
44         96.272    8.69   1.49700    81.5       32.15
45        -31.822    1.70   1.88300    40.8       31.45
46       -176.143    2.14                         31.79
47         50.459    8.14   1.48749    70.2       31.95
48        -79.751    5.00                         31.49
49          ∞      33.00   1.60859    46.4       60.00
50          ∞      13.20   1.51633    64.2       60.00
51          ∞      18.0                          60.00
像面        ∞   
【００８６】
非球面データ
第11面
K  =-2.61129e+006  A 4= 1.14924e-006  A 6=-4.20242e-010
A 8= 7.06050e-012  A10= 1.71748e-014  A12=-3.95143e-018
A14=-2.50492e-020  A16= 2.74832e-023
A 3=-7.41007e-007  A 5=-2.86209e-008  A 7= 4.68402e-011
A 9=-6.67517e-013  A11=-2.87644e-016  A13= 1.44174e-018
A15=-1.26241e-021  
第19面
K  =-8.09196e+003  A 4= 2.70610e-007  A 6= 1.07566e-009
A 8=-3.82716e-014  A10=-1.89869e-016  A12= 1.74435e-020
A14=-2.31461e-023  A16= 5.87253e-027  
A 3=-1.02923e-007  A 5=-2.58308e-008  A 7=-1.15844e-011
A 9= 3.14187e-015  A11= 2.64931e-018  A13= 8.56747e-022
A15=-2.81713e-025  
第25面
K  = 6.92275e+001  A 4=-4.53959e-007  A 6=-6.59771e-011
A 8=-3.55842e-013  A10=-1.48669e-016  A12= 8.98957e-020
A14= 6.50522e-022  A16= 1.24233e-026  
A 3= 7.06566e-007  A 5=-1.77804e-008  A 7= 3.13155e-011
A 9= 8.81552e-016  A11=-1.46851e-017  A13= 1.62371e-021
A15=-1.37737e-023  
各種データ
ズーム比     90.00 
広角     中間     望遠
焦点距離       8.60    65.53   774.03  
Fナンバー      1.80     1.79     4.00  
半画角（度）  32.60     4.80     0.41  
像高           5.50     5.50     5.50  
レンズ全長   624.12   624.12   624.12  
BF            52.22    52.22    52.22  
d10            3.03   140.03   186.75  
d17          279.71   118.33     3.07  
d26            3.00    27.38    95.93  
ズームレンズ群データ
群  始面    焦点距離  レンズ構成長  前側主点位置  後側主点位置
1    1     248.14       110.88        64.60        -17.20
2   11     -27.25        28.28         3.76        -16.43
3   18      70.50        52.98        12.00        -25.30
4   27      40.01       145.21        58.78         16.17
【００８７】
【表１】
2016048352.tif 000004
【符号の説明】
【００８８】
Ｕ１  第１レンズ群    Ｕ２  第２レンズ群    Ｕ３  第３レンズ群
Ｕ４  第４レンズ群    Ｕ５  第５レンズ群    ＳＰ  絞り    ＤＧ  ガラスブロック
ＩＰ  撮像面    ＧＲ１  ゴースト反射面    ＧＲ２  ゴースト反射面
【図３】
2016048352.tif 000005
【図９】
2016048352.tif 000006
【図１２】
2016048352.tif 000007
【図１５】
2016048352.tif 000008
【図１】
2016048352.tif 000009
【図２】
2016048352.tif 000010
【図４】
2016048352.tif 000011
【図５】
2016048352.tif 000012
【図６】
2016048352.tif 000013
【図７】
2016048352.tif 000014
【図８】
2016048352.tif 000015
【図１０】
2016048352.tif 000016
【図１１】
2016048352.tif 000017
【図１３】
2016048352.tif 000018
【図１４】
2016048352.tif 000019
【図１６】
2016048352.tif 000020
【図１７】
2016048352.tif 000021
【図１８】
2016048352.tif 000022
【図１９】
2016048352.tif 000023